(57)【要約】【課題】本発明は、形成される画像の機密が保持でき、セキュリティの向上がはかれるメールビンを内蔵した用紙後処理装置を提供すること。【解決手段】画像形成装置から受け入れた画像形成済みの用紙を、指定先のメールビンに排紙する用紙後処理装置であって、前記用紙を複数枚積載するスタッカ、当該スタッカに載積した用紙束を整合する整合手段、当該整合手段で整合した用紙束を綴じる綴じ手段、を備える中間スタック部と、排紙先指定の画像を形成した用紙が、前記中間スタック部を経て排紙されるメールビンを１つ以上備えるメール排紙部とを、用紙後処理装置の筐体内部に配置し、排紙先が無指定の画像を形成した用紙が、前記中間スタック部を経て排紙されるメイントレイ部を前記筐体の外部に設け、前記筐体における前記メール排紙部に対応する部分に、錠を備えた錠付専用扉を設けたことを特徴とする用紙後処理装置。【選択図】図１
2007210798.tif 000002
【特許請求の範囲】
【請求項１】
画像形成装置から受け入れた画像形成済みの用紙を、指定先のメールビンに排紙する用紙後処理装置であって、前記画像形成装置から受け入れた用紙を複数枚積載するスタッカ、当該スタッカに載積した用紙束を整合する整合手段、当該整合手段で整合した用紙束を綴じる綴じ手段、を備える中間スタック部と、排紙先が指定されている画像を形成した用紙が、前記中間スタック部を経て排紙されるメールビンを１つ以上備えるメール排紙部とを、用紙後処理装置の筐体内部に配置し、排紙先が指定されていない画像を形成した用紙が、前記中間スタック部を経て排紙されるメイントレイ部を前記筐体の外部に設け、前記筐体における前記メール排紙部に対応する部分に、錠を備えた錠付専用扉を設けたことを特徴とする用紙後処理装置。
【請求項２】
前記メールビンの各々に、錠を備えた用紙取出口扉を設けたことを特徴とする請求項１に記載の用紙後処理装置。
【請求項３】
画像形成装置から受け入れた画像形成済みの用紙を、指定先のメールビンに排紙する用紙後処理装置であって、前記画像形成装置から受け入れた用紙を複数枚積載するスタッカ、当該スタッカに載積した用紙束を整合する整合手段、当該整合手段で整合した用紙束を綴じる綴じ手段、を備える中間スタック部と、排紙先が指定されている画像を形成した用紙が、前記中間スタック部を経て排紙されるメールビンを１つ以上備えるメール排紙部とを、用紙後処理装置の筐体内部に配置し、排紙先が指定されていない画像を形成した用紙が、前記中間スタック部を経て排紙されるメイントレイ部を前記筐体の外部に設け、前記メールビンの各々に、錠を備えた用紙取出口扉を設けたことを特徴とする用紙後処理装置。
【請求項４】
前記メールビンを前記メイントレイ部より画像形成装置との接続面側に設けたことを特徴とする請求項１ないし３のいずれか１項に記載の用紙後処理装置。
【請求項５】
前記メール排紙部は複数のメールビンを備え、当該複数のメールビンを用紙受け位置に対して移動可能としたことを特徴とする請求項１ないし４のいずれか１項に記載の用紙後処理装置。
【請求項６】
前記メール排紙部は複数のメールビンを固定位置に配置し、各メールビンに用紙を振り分けるための振り分け弁を設けたことを特徴とする請求項１ないし４のいずれか１項に記載の用紙後処理装置。
【請求項７】
画像形成装置から受け入れた画像形成済みの用紙を、指定先のメールビンに排紙する用紙後処理装置であって、錠を備えた扉を設け、錠を解除して扉を開放することにより前記メールビンに排紙された用紙を取り出し可能としたことを特徴とする用紙後処理装置。
【請求項８】
前記錠は、各メールビンに対応付けて予め登録されているパスワードの入力により解除されることを特徴とする請求項１ないし７のいずれか１項に記載の用紙後処理装置。
【請求項９】
前記錠は、画像データとともに受信したユーザＩＤまたはパスワードの入力により解除されることを特徴とする請求項１ないし７のいずれか１項に記載の用紙後処理装置。
【請求項１０】
用紙に画像を形成する画像形成装置と、当該画像形成装置に接続された請求項１ないし９のいずれか１項に記載の用紙後処理装置とを有することを特徴とする画像形成システム。
【発明の詳細な説明】
【技術分野】
【０００１】
本発明は、画像を形成した用紙の後処理を行う用紙後処理装置及び画像形成システムに関する。
【背景技術】
【０００２】
画像形成装置と用紙後処理装置を組み合わせた複合機の普及に伴い、画像形成された用紙の排紙先として複数のトレイを用意し、クライアント毎又はクライアントを複数に区分し区分毎に排紙トレイを選択して排紙するメールビンと称される排紙装置を備えた画像形成装置が知られている。（特許文献１参照）。
【０００３】
特許文献１では、複数のメールビンとスタッカとを備え、各ビン及びスタッカのそれぞれに設けられた案内部材（フラッパ）の切替動作により、各ビン又はスタッカに用紙を排紙する用紙処理装置が記載されている。また、綴じ処理手段等を有する処理ステーションを、上下に配置されたメールビン及びスタッカに沿って移動させることにより、処理した用紙を各ビン又はスタッカに排紙する用紙処理装置も記載されている。
【特許文献１】特開２０００−７２０８号公報
【発明の開示】
【発明が解決しようとする課題】
【０００４】
特許文献１に記載されたメールビン機能付の用紙処理装置では、メールビンは機外にあり、メールビンまたはスタッカに放置されたプリント文書等の機密を保持することができない不都合が生じる。
【０００５】
本発明は、形成される画像の機密を保持でき、セキュリティの向上をはかれるメールビンを備えた用紙後処理装置及び画像形成システムを提供することを目的とする。
【課題を解決するための手段】
【０００６】
上記目的は、下記の構成によって達成される。
【０００７】
（１）画像形成装置から受け入れた画像形成済みの用紙を、指定先のメールビンに排紙する用紙後処理装置であって、前記画像形成装置から受け入れた用紙を複数枚積載するスタッカ、当該スタッカに載積した用紙束を整合する整合手段、当該整合手段で整合した用紙束を綴じる綴じ手段、を備える中間スタック部と、排紙先が指定されている画像を形成した用紙が、前記中間スタック部を経て排紙されるメールビンを１つ以上備えるメール排紙部とを、用紙後処理装置の筐体内部に配置し、排紙先が指定されていない画像を形成した用紙が、前記中間スタック部を経て排紙されるメイントレイ部を前記筐体の外部に設け、前記筐体における前記メール排紙部に対応する部分に、錠を備えた錠付専用扉を設けたことを特徴とする用紙後処理装置。
【０００８】
（２）画像形成装置から受け入れた画像形成済みの用紙を、指定先のメールビンに排紙する用紙後処理装置であって、前記画像形成装置から受け入れた用紙を複数枚積載するスタッカ、当該スタッカに載積した用紙束を整合する整合手段、当該整合手段で整合した用紙束を綴じる綴じ手段、を備える中間スタック部と、排紙先が指定されている画像を形成した用紙が、前記中間スタック部を経て排紙されるメールビンを１つ以上備えるメール排紙部とを、用紙後処理装置の筐体内部に配置し、排紙先が指定されていない画像を形成した用紙が、前記中間スタック部を経て排紙されるメイントレイ部を前記筐体の外部に設け、前記メールビンの各々に、錠を備えた用紙取出口扉を設けたことを特徴とする用紙後処理装置。
【０００９】
（３）画像形成装置から受け入れた画像形成済みの用紙を、指定先のメールビンに排紙する用紙後処理装置であって、錠を備えた扉を設け、錠を解除して扉を開放することにより前記メールビンに排紙された用紙を取り出し可能としたことを特徴とする用紙後処理装置。
【００１０】
（４）用紙に画像を形成する画像形成装置と、当該画像形成装置に接続された（１）ないし（３）のいずれか１項に記載の用紙後処理装置とを有することを特徴とする画像形成システム。
【発明の効果】
【００１１】
用紙上に形成された画像、文書が一般に晒されることがなくなり、機密が漏洩する不都合を回避できる。
【発明を実施するための最良の形態】
【００１２】
図１は、画像形成装置及び用紙後処理装置からなる画像形成システムの一例を示す模式図である。
【００１３】
図１において、Ａは画像形成装置であって、両面原稿自動送り装置ＲＡＤＦおよび装置本体Ａ１を備える。さらに画像形成システムは、ホストコンピュータ等の外部機器とも接続され、外部機器から送られてくる画像データに基づいて画像を形成可能に構成されている。
【００１４】
両面原稿自動送り装置ＲＡＤＦは、装置本体Ａ１の上部に配置され開閉可能となっている。原稿給紙台ａ上の原稿は、給紙ローラｂおよび搬送ドラムｅに搬送さる。
【００１５】
次に、装置本体Ａ１は、画像読み取り装置１、画像処理手段２、画像書き込み装置３、画像形成部４、給紙トレイ５、搬送手段６、定着装置７、排紙手段８、再搬送手段９等で構成されている。
【００１６】
画像読み取り装置１の光学系は、光源と第１ミラーを備える露光ユニット１４、第２ミラーと第３ミラーから成るＶミラーユニット１５、レンズ１６、ＣＣＤイメージセンサ１７により構成されている。両面原稿自動送り装置ＲＡＤＦによる原稿の読み取りは、露光ユニット１４がスリット露光用ガラス１３の下方の初期位置に停止した位置において行われる。原稿台ガラス１１上の原稿の読み取りは、露光ユニット１４及びＶミラーユニット１５を移動させながら行われる。なお、ｇ１はコントロールパネルで、ここからモード等の選択が行われ、選択されたモード等が不図示の制御部を介して実行される。
【００１７】
画像読み取り装置１において読み取られた原稿画像の画像情報は画像処理手段２により画像処理が行われ、画像データとして信号化され、一旦メモリに格納される。画像書き込み手段３に含まれる図示しない半導体レーザからの出力光が、感光体である感光体ドラム２１に照射され静電潜像を形成する。
【００１８】
画像形成部４においては、感光体２１の表面に帯電器２２により帯電がなされ、画像書き込み手段３の半導体レーザからのレーザ光の照射により静電潜像が形成される。次に現像装置２３により前記静電潜像がトナーで現像されてトナー像となる。該トナー像は、給紙トレイ５から搬送された用紙Ｐ上に転写器２９Ａにより転写される。トナー像が転写された用紙Ｐは、分離器２９Ｂにより感光体表面から剥離される。その後、クリーニング装置２６により感光体上の転写残トナーが除去される。トナー像が転写された用紙Ｐは、搬送手段６により搬送され、定着装置７により定着され、排紙手段８により装置外の用紙後処理装置Ｂへ搬送される。
【００１９】
なお、両面コピーの場合は、第１面に画像形成された用紙Ｐは、搬送路切り替え板８２により再搬送手段９に送り込まれ、反転部８４で反転され、搬送路８５を経由して再び画像作成部４において第２面に画像形成後、排紙手段８により装置外の用紙後処理装置Ｂへ搬送される。反転排紙する場合は、搬送路切り替え板８２により通常の排紙通路から分岐した用紙Ｐは、反転排紙部８３においてスイッチバックして表裏反転された後、排紙部材８により装置外の用紙後処理装置Ｂへ搬送される。
【００２０】
次に用紙後処理装置について説明する。なお、本実施態様の用紙後処理装置は、ステープル手段を備えた装置であるが、ステープル手段を備えていない装置や、ステープル手段の代わりにパンチ機構や糊塗布機構など、他の後処理機構を備えた装置であっても構わない。
【００２１】
図１において、Ｂは用紙後処理装置であり、図示の上段から、通常のプリントまたは端綴じされた用紙束を積載する機外にあるメイントレイ部としての可動排紙皿８１Ａ、中間スタック部であるスタック手段３０と、ステープル手段（ステープラ）５０、本発明に係わるメール排紙部６０等が配置されている。なお、メール排紙部６０は前記可動排紙皿８１Ａより画像形成装置との接続面側に位置し、用紙後処理装置に内蔵されている。
【００２２】
用紙後処理装置Ｂにはシート搬送経路が矢印で示されている。
【００２３】
用紙後処理装置Ｂは画像形成装置Ａから搬出された記録シートＳ（以下、定着後の用紙Ｐを記録シートＳと呼ぶ。）の受け入れ部７１Ａが画像形成装置Ａの排紙部８と合致するよう位置と高さを調節して設置されている。
【００２４】
受け入れ部７１Ａの入口部ローラ対７２Ａのシート搬送下流に接続する記録シートＳの搬送路は、上段の第１搬送路（１）、中段の第２搬送路（２）、更にメール排紙部に通じる下段の第３搬送路（３）等を有しており、切り替えゲートＧ２の占める角度の選択により記録シートＳが第１搬送路（１）または第２搬送路（２）の搬送路に給送される。さらに第２の搬送路（２）に給送された記録シートＳは、中間スタック手段３０を経由した後、可動排紙皿８１Ａ方向への経路または第３搬送路（３）に給送される。
【００２５】
次に、各搬送路について説明する。
（ａ）第１搬送路（１）（可動排紙皿８１Ａに排紙）
ステープル処理が選択されず、かつ、メールビンへの排紙が選択されていない場合、切り替えゲートＧ２は不図示のソレノイドがオフの状態で、通路３１Ａを閉止し、通路２１を開放状態に保持し、記録シートＳの搬送ローラ２２による搬送を可能にしている。
【００２６】
すなわち、画像形成装置Ａから排出された画像形成済みの記録シートＳは、受け入れ部７１Ａ、入口部ローラ対７２Ａを通過し、通路７７を通過して、搬送ローラ対７８に挟持搬送されて、切り替えゲートＧ２の上方の通路２１を通過して、第１搬送路（１）に送られる。その後、更に記録シートＳは、搬送ローラ対２２に挟持搬送され、通路２３を経て、搬送ローラ対（シフトローラ対）２４に挟持搬送され、通路２５を経て、排出ローラ対２６（上ローラ２６Ａ、下ローラ２６Ｂ）により機外の可動排紙皿８１Ａ上に排出、載置される。
【００２７】
なお、本実施の形態においては、この可動排紙皿８１Ａは上下に昇降可能であり、最大約３０００枚（Ａ４，Ｂ５、坪量８０ｇ／ｍ2）の記録シートＳを収容することが可能である。
（ｂ）第２搬送路（２）（ステープルモード、中間スタッカ部に排紙）
ステープル処理が選択され、かつ、メールビンへの排紙が選択されていない場合、画像形成装置Ａ内で画像形成されて、用紙後処理装置Ｂの受け入れ部７１Ａに送り込まれた画像形成済みの記録シートＳは、入口部ローラ対７２Ａ、通路７０を通過して、搬送ローラ対７８に挟持搬送される。さらに、このとき不図示のソレノイドがＯＮとなっており、切り替えゲートＧ２の向きが切り替えられ、通路３１Ａが開放されている。よって、記録シートＳは、切り替えゲートＧ２の下方の通路３１Ａを通過して、下流の搬送ローラ対３２でさらに挟持搬送される。記録シートＳは、更に下流の搬送ローラ対３４（駆動ローラ３４Ａ，従動ローラ３４Ｂ）により挟持されて送り出されて、傾斜配置された中間スタック部３０のスタッカ３５の上方空間に放出され、当該スタッカ３５または当該スタッカ３５上に積載された記録シートＳの上面に接し、滑走上昇する。搬送ローラ対３４から記録シートＳの後端が排出されたのちには、記録シートＳは自重により下降に転じ、前記スタッカ３５の傾斜面上を滑落し、綴じ手段であるステープラ５０近傍の可動ストッパ部材（シート突き当て面）５１に後端部が当接して停止する（なお、可動ストッパ部材５１は、不図示の機構により搬送面から出没可能になっており、メールビンへ用紙を搬送するときは搬送面から沈んだ状態にある）。
【００２８】
更に後続の記録シートＳを、スタック手段３０の中間スタッカ３５上に順次放出する。
【００２９】
３６は前記スタッカ３５の両側面に移動可能に設けた一対の整合部材である。整合部材３６はシート搬送方向と垂直方向かつ紙面と平行に移動可能であり、記録シートＳが前記スタッカ３５上に放出されるシート受け入れ時には、シート幅より広く開放され、前記スタッカ３５上を滑落して可動ストッパ部材５１に当接して停止するときには、記録シートＳの幅方向の側縁を軽打して用紙束の幅揃え（幅整合）を行う。この停止位置において、前記スタッカ３５上に所定枚数の記録シートＳが積載、整合されると、ステープラ５０により綴じ合わせ処理（ステープル処理）が行われ、用紙束が綴じ合わされる。
【００３０】
前記スタッカ３５のシート積載面の一部には切り欠き部が形成されていて、駆動プーリ３７Ａと従動プーリ３７Ｂに巻回された複数の排出ベルト３８が回動可能に駆動される。排出ベルト３８の一部には、排出爪３８Ａが一体に形成されていて、その先端部は、図示一点鎖線のように長円軌跡を描く。ステープル処理された用紙束は、排出ベルト３８の排出爪３８Ａにより用紙束の後端を押圧されて、排出ベルト３８上に載せられ、前記スタッカ３５の載置面上を滑走して斜め上方に押し上げられ、排出ローラ対２６のニップ位置に進行する。回転する排出ローラ対２６に挟持された用紙束は、可動排紙皿８１Ａ上に排出、積載される。
【００３１】
（ｃ）第３搬送路（３）（内蔵されたメールビンへ排紙）
メールビンに記録シートＳを排紙する場合としてはメールビンへの排紙とともにステープル処理が選択される場合がある。メールビンへの排紙とともにステープル処理が選択された場合は、各記録シートＳが第２搬送路を経て、中間スタッカ３５上で載積され、その後、ステープラ５０により用紙束に綴じ合わされるまでは前述と同様である。ステープル処理後、可動ストッパ部材５１で止められていた用紙束は、可動ストッパ部材５１の退避により自重によって通路に沿って滑落し、第３搬送路に沿って搬送ローラ３９により挟持搬送され、指定されているいずれかのメールビン６０１（図２参照）にメール排紙ローラ４０によって配送される。また、ステープル処理が選択されず、メールビンへの排紙のみが選択された場合は、記録シートＳは第２搬送路を経て中間スタッカ３５上に放出された後、可動ストッパ部材５１によって停止させられることなく、そのまま中間スタッカ３５上を滑落する。その後、記録シートＳは搬送ローラ３９により第３搬送路に沿って挟持搬送され、指定されているいずれかのメールビン６０１にメール排紙ローラ４０によって配送される。
【００３２】
本発明は、機密を要する書類を作成する場合に、特定の関係者に限り、作成した書類を機外に取り出せるように構成している。
【００３３】
その一実施様態として、本実施様態では、用紙後処理装置に記録シートＳや用紙束を収納するメールビン６０１を内蔵し、かつ、各ビンに錠を設けることによって、排出された記録シートＳ、または用紙束を安易に持ち出せない構成にして、セキュリティーを保っている。書類作成者、または、その関係者が書類を排出したメールビンの錠を解除することで、初めてその書類を持ち出せるように構成している。また、本実施態様では、機密を要しない書類を作成する場合は、中間スタック部３０から昇降可能なメイントレイ部８１Ａに書類を排出するようにしたことで、画像形成動作を中断させることなく、大量の書類を連続して作成できるようにしている。
【００３４】
また、他の実施態様としては、錠付きのメールビンを１つだけ備える構成や、メイントレイ部８１Ａを持たずに複数のメールビンのみを持つ構成なども考えられる。さらに、必ずしも錠付きのメールビンを用紙後処理装置に内蔵する構成には限られず、錠付きの開閉可能な用紙取出口扉を持つ箱状のカバーで覆ったメールビンを、用紙後処理装置の機外に設けても良い。
【００３５】
用紙後処理装置が複数のメールビン６０１を有する場合は、書類作成者であるユーザごと、または、複数のユーザを幾つかに区分したグループごとのユーザＩＤを予め所定のメールビンと対応付けて登録しておくことができる。対応付けを登録しておくことにより、画像形成システムは、外部のホストコンピュータ等から画像形成の指令を受けたときに、画像データとともに受信したユーザＩＤを基に、そのユーザＩＤに対応付けて登録されている所定のメールビンに画像形成済みの書類を自動で振り分けて排紙することができる。予め対応付けが登録されていない場合は、ユーザは画像形成の指令時に排出先の何れかのメールビンを指定する。画像形成システムは画像データとともに指定されたメールビンの情報を受信し、指定先のメールビンに画像形成済みの書類を排出する。ユーザは外部機器で画像形成の指令を与えた後、予め対応付けて登録されている所定のメールビン、または、指定した所定のメールビンの錠を解除することで、書類を持ち出すことができる。
【００３６】
また、メールビンの錠は、鍵によって開けるものの他、ユーザＩＤやパスワード入力によって開くものであっても良い。ユーザＩＤやパスワードの入力は、画像形成装置のコントロールパネルｇ１で行うものの他、メールビンの扉にパスワード入力部が設けられており、そのパスワード入力部で行うものでも構わない。
【００３７】
また、錠付きのメールビンを１個だけ備えている用紙処理装置の場合は、ユーザが画像形成の指令を出す際に、画像データとともにメールビンの錠を開けるための任意のパスワードを指定して送信するように構成する。画像形成システムは、画像を形成した書類を錠付きのメールビンに排出した後、コントロールパネルｇ１，または、メールビンの扉に設けられたパスワード入力部から、受信した任意のパスワードが入力されると錠を解除するように構成することもできる。または、画像データとともに受信したユーザＩＤが、コントローラパネルｇ１またはパスワード入力部から入力されると、メールビンの錠を解除するように構成しても良い。ユーザＩＤにより制御する場合は、ユーザによる任意のパスワード指定が不要になるため、操作性が向上する。
【００３８】
勿論、錠付きのメールビンを１個のみ備えた用紙後処理装置の場合においても、パスワードやユーザＩＤの入力によって錠を解除する構成の他、鍵によって錠を解除する構成であっても良い。しかしながら、この場合は、鍵を持っているユーザしか錠付きのメールビンを使用することができないため、ユーザＩＤやパスワードにより制御する構成の方が利便性が良い。
【００３９】
図２は、図１のメール排紙部およびその駆動部を示す図である。
【００４０】
図１、図２において、メール排紙部６０は、少なくとも１つ以上の箱状のメールビン６０１を支持する支持枠６０２と当該支持枠６０２を上下に移動させる駆動部等からなっている。また、各メールビン６０１は、ヒンジ６１０を介して開閉できる用紙取出口扉である開閉扉６１１を備えており、かつ、各メールビン６０１専用の錠６１２を有している。
【００４１】
図３は、正面から見た用紙後処理装置の外装の一部を示す図である。
【００４２】
図３において、用紙後処理装置の外装の一部にヒンジ６２を介して錠６３で開閉できる錠付専用扉６１が設けられている。このように、本実施態様では、各メールビン６０１に対して錠付きの用紙取出口扉である開閉扉６１１を設け、されに、用紙後処理装置の外装部に錠付専用扉６１を設けることで、極めて高いセキュリティー効果を得ている、しかしながら、勿論、少なくとも何れか一方の錠付きの扉を設けることで、セキュリティー効果は得られる。
【００４３】
次に、メールビン６０１の上下移動について説明する。
【００４４】
前記支持枠６０２は、上側両サイドでプーリ６０３に係合するワイヤ６０４の一方の端部が掛けられ、下側両サイドでプーリ６０５に係合する前記ワイヤ６０４の他方の端部が掛けられ、前記ワイヤ６０４で吊り下げられている。前記プーリ６０３、６０５は不図示の本体側枠体に支持されている回転軸６０６、６０７に一体に止められている。また、前記回転軸６０５には駆動歯車６０８が一体に設けられており、減速手段６０９を介してモータＭから駆動力が伝達される。画像形成装置Ａの制御部から用紙後処理装置Ｂの制御部を介してモータＭが駆動制御され、プーリ６０３，６０５が所定の角度だけ回転し、メールビン６０１を所定の位置に停止し、指定された記録紙シートまたは用紙束の書類を排出する。なお、前記支持枠６０２は不図示のガイドレールに沿って上下に移動できる。
【００４５】
すなわち、画像形成システムに接続されている外部機器から画像形成システムに画像形成指令が与えられると、画像形成装置Ａの制御部では、画像データとともに受信したユーザＩＤに対応付けて登録されているメールビンを特定する。その情報が用紙後処理装置Ｂの制御部に送られ、用紙後処理装置Ｂの制御部で特定のメールビン６０１をメール排紙ローラ４０に対応する位置に移動すべく、モータＭの駆動を制御する。または、特定のメールビンが指定されているときは、画像形成装置Ａの制御部はその指定情報を用紙後処理装置Ｂの制御部に送り、その情報に基づいて、用紙後処理装置Ｂの制御部がモータＭの駆動を制御する。
【００４６】
また、外部機器を用いず、画像形成装置Ａを直接操作して画像形成する場合には、コントロールパネルｇ１で特定のメールビンが指定される。画像形成装置Ａの制御部は指定された特定のメールビン情報を用紙後処理装置Ｂの制御部に送り、用紙後処理装置Ｂの制御部が、指定されたメ−ルビン６０１をメール排紙ローラ４０に対応する位置へ移動するように、モータＭを駆動制御する。
【００４７】
なお、当該支持枠６０２はメールビン６０１の入り口に対応する箇所に開口部Ｗを備えている。
【００４８】
以上、移動型メールビンについて説明してきたが、図４に示すような固定型の複数のメールビンを装置に内蔵することも可能である。図４は、固定型メールビンの一例を示す図である。
【００４９】
図４において、前述した用紙後処置装置に内蔵した固定型メールビン７０を示している。錠７１２を備え、ヒンジ７１３を介して開閉する用紙取出口扉である開閉扉７１１をもつメールビン７０ａ〜７０ｄが、用紙後処理装置Ｂの本体枠体に支持された支持枠７１に固定されている。当該支持枠７１は、メール排紙ローラ４０（図１参照）から通じる配送ガイド７２を有している。また、当該配送ガイド７２の各メールビンの入口近傍には搬送ローラ７１ａ〜７１ｄおよび振り分け弁７２ｂ〜７２ｄが設けられている。メール排紙ローラ４０から搬送された記録シートＳまたは用紙束の書類は、ユーザによって指定されたメールビン７０ａ〜７０ｄのいずれかに配送される。例えば、メールビン７０ｂが指定された場合、または、ユーザＩＤと対応付けて登録されている特定のメールビンが７０ｂである場合は、用紙束は、実線で示す状態にある振り分け弁７２ｃ、７２ｄ配送ガイド７２に沿って搬送ローラ７１ｄ、７１ｃで搬送され、点線で示す状態にある振り分け弁７２ｂに達し、搬送ローラ７１ｂでメールビン７０ｂへ配送される。
【００５０】
以上のような構成によって、機密文書等の扱いが可能となり、セキュリティを確保することができる。
【図面の簡単な説明】
【００５１】
【図１】画像形成装置及び用紙後処理装置からなる画像形成システムの一例を示す模式図である。
【図２】図１のメール排紙部およびその駆動部を示す図である。
【図３】正面から見た用紙後処理装置の外装の一部を示す図である。
【図４】固定型メールビンの一例を示す図である。
【符号の説明】
【００５２】
Ａ  画像形成装置
Ｂ  用紙後処理装置
１  画像読み取り装置
３  画像書き込み装置
３０  中間スタック部
３５  スタッカ
４  画像形成部
４０  メール排紙ローラ
６０  メール排紙部
６１  錠付専用扉
６３、６１２  錠
６０１  メールビン
６０２  支持枠
６０３、６０５  プーリ
６０４  ワイヤ
６１１  開閉扉
７１Ａ  受入部
Ｇ２  切り替えゲート
８  排紙手段
【図１】
2007210798.tif 000003
【図２】
2007210798.tif 000004
【図３】
2007210798.tif 000005
【図４】
2007210798.tif 000006